(57)【要約】【課題】コストを掛けずに、これまでの凹凸を有する誘導路面形成用敷設板に代えて使用できる凹凸を有しないもので、さらに視覚障害者に対する誘導効果の高い誘導路面用敷設板を提供する。【解決手段】複数の木片を寄木加工して均一な厚さの方形板状体に形成したのち、香気発生物質を含浸させてなる誘導路面用敷設板とする。【選択図】図３
2010163796.tif 000002
【特許請求の範囲】
【請求項１】
複数の木片を寄木加工して均一な厚さの方形板状体に形成したのち、香気発生物質を含浸させてなる誘導路面用敷設板。
【請求項２】
木片が広葉樹又は針葉樹の廃材である請求項１記載の誘導路面用敷設板。
【請求項３】
廃材が間伐材である請求項２記載の誘導路面用敷設板。
【請求項４】
少なくとも一辺で隣接した木片がたがいに直角をなす木目を有している請求項１ないし３のいずれかに記載の誘導路面用敷設板。
【請求項５】
同一方向の木目を有する複数の木片を連結した薄型加工板２枚をそれぞれの木目を直交させて貼合して形成されている請求項１ないし３のいずれかに記載の誘導路面用敷設板。
【請求項６】
香気発生物質がヒバ油である請求項１ないし５のいずれかに記載の誘導路面用敷設板。
【発明の詳細な説明】
【技術分野】
【０００１】
本発明は、視覚障害者のために路面に設ける誘導帯を形成させるのに用いる敷設板に関するものである。
【背景技術】
【０００２】
最近、歩道、駅のプラットホームや溝内床面などの歩行用路面の一部に、視覚障害者のための凹凸を付したタイルを敷設した誘導帯が設けられている。
しかしながら、この誘導帯は健常者が歩く場合でも、かなり歩行の妨げとなる上に、高齢者や歩行障害者にとっては、転倒の危険にもさらされる。
したがって、このような歩行用路面に凹凸を付さないで視覚障害者を誘導し得るシステムが要望されている。
【０００３】
このような要望にこたえるものとして、これまでに歩道の路面に磁性体を埋め込んで磁気標識とし、その磁気標識を携帯用検出器により追尾する誘導方式（特許文献１参照）、路面上の所定位置に敷設されるシート材と、該シート材の下に設けられる振動発生手段と、該振動発生手段を駆動するための駆動手段とを備え、該振動発生手段で発生する振動を上記シート材を介して該シート材上の人間の足に伝達させることにより、該人間に注意を喚起させる標示用踏み板（特許文献２参照）などが提案されている。
しかしながら、このように路面下に特殊の機能を付与するには、余計な手間が掛かり、また広い範囲の路面に施すには、厖大な経費を要することになるので、実用上必ずしも有力な手段とはいえない。
【０００４】
他方、学校の教室、体育館、廊下などの板張りの建築物内を視覚障害者が安全に歩行し得るように、木製の板状体上に凹凸を付して誘導板とし、平坦木製板張り床面に組み込む方法も提案されているが（特許文献３参照）、これは単に従来のコンクリート材を木材に代えただけで、表面に凹凸を有している点では変わりはないのであるから、歩行の妨げを除去するという目的においては、何ら本質的な解決にはならない。
【先行技術文献】
【特許文献】
【０００５】
【特許文献１】特開昭５４−６７３９９号公報（特許請求の範囲その他）
【特許文献２】特開２００４−１６２４９４号公報（特許請求の範囲その他）
【特許文献３】実用新案登録第３０１０５５２号公報（実用新案登録請求の範囲その他）
【発明の概要】
【発明が解決しようとする課題】
【０００６】
本発明は、コストを掛けずに、これまでの凹凸を有する誘導路面形成用敷設板に代えて使用できる凹凸を有しないもので、しかもこれまでのものに比べ、さらに視覚障害者に対する誘導効果の高い誘導路面用敷設板を提供するためになされたものである。
【課題を解決するための手段】
【０００７】
本発明者らは、視覚障害者のための誘導路面用敷設板について種々研究を重ねた結果、従来の足裏の触覚に頼る誘導方式から全く発想を転換して、聴覚及び臭覚を利用した誘導方式とすれば、路面に凹凸を付さなくても視覚障害者を安全かつ効果的に誘導し得ること、及びその材料として、これまで廃棄されていた間伐材を利用すれば、コストの低下も可能であることを見出し、この知見に基づいて本発明をなすに至った。
【０００８】
すなわち、本発明は、複数の木片を寄木加工して均一な厚さの方形板状体に形成したのち、香気発生物質を含浸させてなる誘導路面用敷設板を提供するものである。
【発明の効果】
【０００９】
本発明によると、間伐材や加工切屑などサイズ不足で利用されないまま燃料にされたり、又は廃棄されていた木材を用いて、路面の視覚障害者のための誘導用敷設板を提供することができ、しかもこの敷設板を使用した誘導方式は、凹凸を足裏の触覚で感知する方式ではなく、離れた場所からは香気により誘導路の存在を感知し、誘導路に達した場合には、視覚障害者用白杖と敷設板との衝突音で感知するという聴覚、臭覚を利用する方式であるため、他の歩行者の妨げにならないという利点がある。
【図面の簡単な説明】
【００１０】
【図１】本発明における木片の寄木加工による接合状態の１例を示す断面図。
【図２】複数の長細片を並列に連結して所定サイズの正方形板状体に形成した状態を示す平面図。
【図３】少なくとも一辺で隣接した木片の木目がたがいに直角になっている例を示す部分平面図。
【発明を実施するための最良の形態】
【００１１】
次に、添付図面に従って、本発明を実施するための最良の形態を説明するが、本発明はこれにより何ら限定されるものではない。
図１は、本発明における木片の寄木加工による接合状態の１例を示す断面図であり、一方の木片１の端面に凸条２を膨成し、他方の木片１´の対向面に、その凸条２が緊密に嵌合し得る凹状溝３を刻成し、この凸条２と凹状溝３とで木片１と１´を接合する。
図２は、複数の長細片１，１´…を上記の接合手段により並列に連結して所定サイズの正方形板状体に形成した状態を示す平面図である。
【００１２】
また、各長細片１，１´…の木目が並行になるように連結して正方形板状体を形成した場合には、同サイズの正方形板状体２枚を、たがいの木目が直交する状態で重ねて接着することにより反りの発生を防止することができる。
【００１３】
これらの例においては、敷設板を正方形に形成したが、埋め込む時の状況に応じ、長方形状板状体に形成してもよい。
図３は、少なくとも一辺で隣接した木片の木目がたがいに直角になっている例を示す平面図で、木片１と１´、木片１´と１″とは木目がたがいに直交するように連結されている。
【００１４】
本発明の敷設板は木片を接着剤を用いて接合せずに、上記のように寄木加工により連結しているので、連結部に僅かな空隙を有し、打撃を与えた際、振動幅に余裕を生じるので、打撃音が吸収されることなく高い音響を発する。
したがって、視覚障害者が白杖で打撃しながら歩行すれば、高い打撃音を発し、効果的に進路を誘導することができる。
【００１５】
次に、本発明においては、上記のようにして形成させた寄木加工板状体に、香気発生物質を含浸させる必要がある。この香気発生物質は、長期間にわたって香気を持続的に発生し得るものであれば特に制限はなく、通常、化粧料や建材、家具、衣料などに好ましい香りを付香するのに用いる香料の中から任意に選んで用いることができるが、殺菌作用及び悪臭を除去する作用を有する点でヒバ油が最も好ましい。
【００１６】
このヒバ油は、ヒバの木から抽出されるエキスであり、以前は家具、日用品の付香に用いられていたが、現在では合成品に代えられ、利用されないまま製品が停止され、いわゆる廃棄物の１種となっているので、安価、かつ多量に入手できる香気発生物質である。
【００１７】
この香気発生物質を敷設板に含浸させるには、その０．０１〜５．０質量％、好ましくは０．１〜２．０質量％濃度の溶液を調製し、木材内部まで浸透するのに十分な時間、通常は３０分ないし１２０分程度その中に浸漬したのち、取り出し、自然乾燥する。この浸漬時間を短縮するには溶剤として揮発性のものを用い、所望に応じ減圧にして乾燥する。このようにして、抗菌性を有する付香敷設板が得られる。
【００１８】
本発明の敷設板は、このように常時香気を発生しているため、視覚障害者は誘導路から離れた場所においても簡単に誘導路の存在を知ることができる。
【００１９】
本発明の敷設板は、その使用場所の状況に応じて、任意のサイズで形成することができるが、通常は厚さ３〜１０ｍｍ、縦２０〜４０ｍｍ、横３０〜４０ｍｍのサイズの範囲に形成される。
【産業上の利用可能性】
【００２０】
本発明の敷設板は、これまで使用されていた、表面に凹凸を有する視覚障害者のために路面に設ける誘導路形成用敷設板と同様、歩道、駅のプラットホーム等の誘導路を形成する場合に広く用いることができる。
【符号の説明】
【００２１】
１，１´  木片
２  凸条
３  凹状溝
【図１】
2010163796.tif 000003
【図２】
2010163796.tif 000004
【図３】
2010163796.tif 000005